(57)【特許請求の範囲】
【請求項１】
一つの配管を複数のパイプに分岐すると共に外部に対する止水を図るヘッダーにおいて、
流路を分岐するヘッダー本体と、
一端がパイプに接続されると共に他端が前記ヘッダー本体に接続され、内部に流路が貫通形成されると共に前記ヘッダーとパイプとの接続部にそれぞれシール部を有し、前記ヘッダー本体及びパイプを外部に対して液密状態に保つインコアと、
前記インコアを前記ヘッダー本体に着脱自在に保持すると共に、前記ヘッダー本体から前記パイプが抜けるのを防止する抜け止め部材を有するヘッダーであって、
前記インコアのシール部はそれぞれＯ−リングを介した二重シール部からなり、
前記抜け止め部材は、円筒状をなし一端部が前記パイプの外径よりも僅かに大きい程度まで縮径すると共に他端部にはヘッダー本体と着脱自在に螺合するネジ部が形成されたパイプ保持キャップと、前記パイプ保持キャップの内部に収容された抜け止めスペーサ及び当該抜け止めスペーサとパイプ保持キャップの一端側縮径部との間に介装された抜け止めリングを備え、
前記パイプ保持キャップの内周面には前記抜け止めスペーサとの係合溝が形成され、
前記抜け止めスペーサは円筒状をなし、一端部が若干拡径し、前記パイプ保持キャップの内周壁に形成された係合溝に当該一端部が係合して当該パイプ保持キャップ内に固定収容され、
前記抜け止めリングは、Ｃ字状のリング支持部と、当該リング支持部と一体形成され、Ｃ字型をなしかつ断面視で前記ヘッダー本体内部に向かって縮径し、一旦挿入されたパイプに食い付きパイプ保持キャップからのパイプの抜けを防止するＣ型リングを備えたことを特徴とするヘッダー。
【請求項２】
内部にヘッダー本体とパイプとを連通する流路を備えたインコアを介してヘッダー本体及びパイプの外部に対する止水を達成するヘッダーの止水方法であって、
前記ヘッダーが、前記ヘッダー本体と、前記ヘッダー本体に接続されるパイプと、一端が前記パイプに嵌合されると共に他端が前記ヘッダー本体に挿入され内部に流路が貫通形成され、かつ前記ヘッダー本体及びパイプを外部に対して液密状態に保つインコアと、前記ヘッダー本体から前記パイプが抜けるのを防止する抜け止め部材を有し、かつ前記抜け止め部材は、円筒状をなし一端部が前記パイプの外径よりも僅かに大きい程度まで縮径すると共に他端部にはヘッダー本体と着脱自在に螺合するネジ部が形成されたパイプ保持キャップと、前記パイプ保持キャップの内部に収容された抜け止めスペーサ及び当該抜け止めスペーサとパイプ保持キャップの一端側縮径部との間に介装された抜け止めリングを備え、前記パイプ保持キャップの内周面には前記抜け止めスペーサとの係合溝が形成され、前記抜け止めスペーサは円筒状をなし、一端部が若干拡径し、前記パイプ保持キャップの内周壁に形成された係合溝に当該一端部が係合して当該パイプ保持キャップ内に固定収容されるようになったヘッダーの止水方法であり、
前記パイプとの間のシール部を有したインコアを当該パイプに嵌合して当該パイプとインコア間のシールを図り、
次いで、前記インコアの嵌合されたパイプを前記ヘッダー本体に挿入して当該インコア及びヘッダー本体の外部に対するシールを図ることで、パイプと当該パイプに嵌合されるインコア間のシールを図ると共に、前記ヘッダー本体と当該ヘッダー本体に嵌合されるインコア間のシールを図ることによって前記ヘッダー本体及びパイプの外部に対する止水を達成することを特徴とするヘッダーの止水方法。
【請求項３】
内部にヘッダー本体とパイプとを連通する流路を備えたインコアを介してヘッダー本体及びパイプの外部に対する止水を達成するヘッダーの止水方法であって、
前記ヘッダーが、前記ヘッダー本体と、前記ヘッダー本体に接続されるパイプと、一端が前記パイプに嵌合されると共に他端が前記ヘッダー本体に挿入され、内部に流路が貫通形成され、かつ前記ヘッダー本体及びパイプを外部に対して液密状態に保つインコアと、前記ヘッダー本体から前記パイプが抜けるのを防止する抜け止め部材を有し、かつ前記抜け止め部材は、円筒状をなし一端部が前記パイプの外径よりも僅かに大きい程度まで縮径すると共に他端部にはヘッダー本体と着脱自在に螺合するネジ部が形成されたパイプ保持キャップと、前記パイプ保持キャップの内部に収容された抜け止めスペーサ及び当該抜け止めスペーサとパイプ保持キャップの一端側縮径部との間に介装された抜け止めリングを備え、前記パイプ保持キャップの内周面には前記抜け止めスペーサとの係合溝が形成され、前記抜け止めスペーサは円筒状をなし、一端部が若干拡径し、前記パイプ保持キャップの内周壁に形成された係合溝に当該一端部が係合して当該パイプ保持キャップ内に固定収容されるようになったヘッダーの止水方法であり、
前記ヘッダー本体との間のシール部を有したインコアを前記ヘッダー本体に挿入して当該ヘッダー本体とインコアのシールを図り、
次いで、前記ヘッダー本体に挿入されたインコアに前記パイプを嵌合して当該インコアとパイプの外部に対するシールを図ることで、パイプと当該パイプに嵌合されるインコア間のシールを図ると共に、前記ヘッダー本体と当該ヘッダー本体に嵌合されるインコア間のシールを図ることによってヘッダー本体及びパイプの外部に対する止水を達成することを特徴とするヘッダーの止水方法。
【発明の詳細な説明】
【技術分野】
【０００１】
本発明は、例えば水道水の一次側配管を複数のパイプに分岐するヘッダー及びこのヘッダーの外部に対する止水方法に関する。
【背景技術】
【０００２】
例えば家庭において料理や洗濯、入浴等を可能とするために、家屋には水回りのパイプが方々に張り巡らされており、水道水の一次側配管をこれらの複数のパイプに分岐するのにヘッダーが用いられている（例えば、特許文献１参照）。これらのパイプやヘッダーは家屋の床下や壁裏、天井裏に配設されているので、この部分から万が一水漏れが生じると大変な事態になる。そのため、パイプ及びヘッダーは外部に対して止水されている。
【０００３】
かかるシール構造を備えたヘッダーの一例として、図１０及び図１１に示すようなものが知られている。このヘッダー５は、ヘッダー本体５１０と継手５２０を有し、パイプ５９０に挿入したインコア５３０をパイプ５９０の端部ごと継手５２０に収容する構造になっている。また、継手５２０は、異型筒型の継手本体５２１と、継手本体内に収容された内装部材である止水用のＯ−リング５２２、内部にパイプ５９０を把持してパイプ５９０の抜けを防止するグリップリング５２３、Ｏ−リング５２２のシール面を保持するスペーサ５２４、及びグリップリング５２３でパイプ５９０を把持させるためにグリップリング５２３を縮径させるサポートカラー５２５と、継手本体５２１から各内装部材が脱抜しないようにカバーするエンドキャップ５２６を備えている。
【０００４】
そして、継手５２０を組付けるにあたって、継手本体５２１に上述した内装部材をすべて挿入した後、エンドキャップ５２６をカシメ若しくはネジ込んで継手本体５２１に被着させる。継手内でのパイプ５９０及びインコア５３０の外部に対する止水は、インコア５３０に設けられたＯ−リング５３１，５３２を介してパイプ５９０の内面（又は外面）をシールすることで達成するようになっている。
【０００５】
また、ヘッダー本体５１０と継手５２０には双方ともテーパネジ部５１０ａ，５２０ａが形成され、これらのテーパネジ部間を螺合させつつ継手５２０をヘッダー本体５１０に対して適正なトルクで締め付けてヘッダー５を組付けるようになっている。なお、ヘッダー本体５１０及び継手５２０の外部に対する止水は継手５２０のテーパネジ部５２０ａに予めシールテープを巻いて継手５２０をヘッダー本体５１０にネジ込んでいくことで達成するようになっている。
【特許文献１】特開２００２−２９５７７４号公報（３−５頁、図１）
【発明の開示】
【発明が解決しようとする課題】
【０００６】
しかしながら、継手５２０は継手本体５２１に加えて各種の内装部材から構成され、継手単体でも使用されることを考慮して容積が大きくなっており、継手自体の組付けにも手間がかかる。また、止水性を高めるために継手５２０とヘッダー本体５１０の螺合部をテーパーネジで形成する必要があり、ネジ部の全長が長くなり、結果的にヘッダー５の容積が大きくなる。このような理由により、ヘッダー５の組付けにも手間がかかり、ヘッダー組付け後の止水性の確認も必要となる。
【０００７】
また、ヘッダー本体５１０が大型化すると共にヘッダー本体５１０に取り付けられた継手５２０の高さが高くなると、これらが例えばホウ金（ＣＡＣ４０６）等でできている場合、材料コストや加工コストが嵩んでしまう。また、一次側水道水の水圧を継手５２０とヘッダー本体５１０の組付け部で受ける構造となっているため、組付け部で止水性を保つために継手５２０とヘッダー本体５１０との螺合部をシールテープでシールすることが必要となる。そして、シールテープを継手５２０のテーパネジ部５２０ａに巻きながらヘッダー本体５１０にネジ込んでいくに際してトルク管理が必要となる。
【０００８】
また、パイプ５９０にインコア５３０を差し込む作業を間違えたときにインコア５３０を嵌合したパイプ５９０を継手５２０と共に外して、継手内に備わったＣ型のグリップリング５２３を外し、継手５２０及びヘッダー本体５１０のテーパネジ部５１０ａに付着したシールテープの残りを取り除き、再びシールテープを継手５２０のテーパネジ部５２０ａに巻いて継手５２０をヘッダー本体５１０にねじ込む複雑な作業を必要とする。
【０００９】
このように継手５２０をヘッダー本体５１０から一度外すと、継手５２０のテーパネジ部５２０ａのシール部分をシールテープで再び巻いて継手５２０のテーパネジを一定の締め付けトルクで締め付ける必要があり、トルクレンチ等を用いた煩雑な作業となる。また、これらの締め付け作業を可能とするために隣接する継手間の間隔をかなり大きくとる必要があるので、ヘッダー自体が長手方向にも長くなってしまう。
【００１０】
一方、図１２に示すような別の従来型のヘッダー６も知られている。このヘッダー６は、ヘッダー本体（図示せず）からヘッダー分岐管６１１が突出し、このヘッダー分岐管６１１の先端にフランジ６１５を備えると共に、フランジ６１５に当接するフランジ６２５を備えたアダプタ６２０を有している。このフランジ６２５は、アダプタ６２０の長手方向中央部から若干ヘッダー取付け側に偏倚して形成されている。また、フランジ６２５からヘッダー取付け側先端に向かうアダプタ６２０の周方向に二条のＯ−リング嵌合溝が全周にわたって形成され、このＯ−リング嵌合溝にＯ−リング６３１，６３２が嵌合され、ヘッダー本体のヘッダー分岐管内で二重シール部を形成するようになっている。また、アダプタ６２０の他方の端部（図中上方端部）は拡径されてパイプ挿入部６２６を形成している。そして、アダプタ６２０の内部はここでは図示ないが、パイプの内部に嵌合される嵌合円筒部が形成されている。この嵌合円筒部には図示ない２つのＯ−リングが備わり、パイプをアダプタ６２０に挿入するとこのＯ−リングがパイプの内周との間で二重シール部を形成するようになっている。
【００１１】
また、この別の従来例にかかるヘッダー６は例えば金属の板材でできて弾性を有する平面視異型Ｃ字型のクリップ６４０を備えている。そして、このクリップ６４０には、その幅方向にヘッダー分岐管６１１のフランジ６１５とアダプタ６２０のフランジ６２５との合わさり部に係合する細長い長方形状のフランジ係合孔６４５が対向して形成されている。そして、作業者は例えばアダプタ６２０にパイプを挿入した状態でアダプタ６２０をヘッダー分岐管６１１に押し込んでそれらのフランジ同士を当接させ、クリップ６４０の開放端部６４１を押し広げてクリップ６４０のフランジ係合孔６４５にこの当接されたフランジ６１５，６２５を係合させ、アダプタ６２０をヘッダー分岐管６１１に固定するようになっている。
【００１２】
このように当接し合ったアダプタ６２０のフランジ６２５とヘッダー本体のフランジ６１５に弾性を有したクリップ６４０を横から差し込んで固定する構造ではヘッダー６の部品点数が多くなり、クリップ６４０も外力によって外れる可能性がある。そのため、クリップ取り付け後にクリップ６４０が外れないように樹脂等のバンドで締め付けておく余分な作業を必要とし、組付け作業性が良くない。
【００１３】
本発明の目的は、簡単な構成でヘッダー本体及びパイプの外部に対する止水構造を実現したヘッダーを提供することにある。
【課題を解決するための手段】
【００１４】
上述の課題を解決するために、本発明の請求項１にかかるヘッダーは、
一つの配管を複数のパイプに分岐すると共に外部に対する止水を図るヘッダーにおいて、
流路を分岐するヘッダー本体と、
一端がパイプに接続されると共に他端が前記ヘッダー本体に接続され、内部に流路が貫通形成されると共に前記ヘッダーとパイプとの接続部にそれぞれシール部を有し、前記ヘッダー本体及びパイプを外部に対して液密状態に保つインコアと、
前記インコアを前記ヘッダー本体に着脱自在に保持すると共に、前記ヘッダー本体から前記パイプが抜けるのを防止する抜け止め部材を有するヘッダーであって、
前記インコアのシール部はそれぞれＯ−リングを介した二重シール部からなり、
前記抜け止め部材は、円筒状をなし一端部が前記パイプの外径よりも僅かに大きい程度まで縮径すると共に他端部にはヘッダー本体と着脱自在に螺合するネジ部が形成されたパイプ保持キャップと、前記パイプ保持キャップの内部に収容された抜け止めスペーサ及び当該抜け止めスペーサとパイプ保持キャップの一端側縮径部との間に介装された抜け止めリングを備え、
前記パイプ保持キャップの内周面には前記抜け止めスペーサとの係合溝が形成され、
前記抜け止めスペーサは円筒状をなし、一端部が若干拡径し、前記パイプ保持キャップの内周壁に形成された係合溝に当該一端部が係合して当該パイプ保持キャップ内に固定収容され、
前記抜け止めリングは、Ｃ字状のリング支持部と、当該リング支持部と一体形成され、Ｃ字型をなしかつ断面視で前記ヘッダー本体内部に向かって縮径し、一旦挿入されたパイプに食い付きパイプ保持キャップからのパイプの抜けを防止するＣ型リングを備えたことを特徴としている。
【００１５】
このようなヘッダーによると、ヘッダー本体とパイプとの間にインコアからなる一部材しか介在させていないので、余分な部品を必要とせず、従来例のヘッダー本体に取り付ける継手のように高さが高くならない。すなわち、構造が簡単となって全体寸法も小さくでき、製造コストを下げることが可能となる。また、従来例のように継手をヘッダー本体に取り付ける際のシールテープを必要とせず簡単な構造でヘッダー及びパイプの外部に対する止水を達成することができる。
【００１６】
また、ヘッダー本体とパイプとの間にインコアの一部材しか介在させておらずかつインコアが一体構造であるので、ヘッダーとパイプ間で水が余分に分岐する心配がなく、漏水のリスクも低下させることができる。
【００１７】
また、従来は継手をヘッダーに締め付けるにあたってトルク管理が必要であったため、継手間の作業空間をとる必要上パイプ同士の間隔が大きくなっていたが、本発明にかかるヘッダーはパイプ保持キャップを指で締め付けることができるので、パイプ同士の間隔を小さくできる。これによって、ヘッダーの高さや設置幅に関して省スペースを図ることができる。これに加えて、トルク管理に伴う無駄な作業も必要なくなる。
【００１８】
また、ヘッダー自体が大型化する従来の構造では水廻りの設置空間の取り合わせでヘッダーの配置空間が確保できない場合があり、ヘッダーを水廻りの最適な位置から離れた位置に配置しなければならなかったが、本発明にかかるヘッダーの場合、小型化が図られているのでこのような心配がいらない。
【００２１】
また、本発明の請求項２に記載のヘッダーの止水方法は、
内部にヘッダー本体とパイプとを連通する流路を備えたインコアを介してヘッダー本体及びパイプの外部に対する止水を達成するヘッダーの止水方法であって、
前記ヘッダーが、前記ヘッダー本体と、前記ヘッダー本体に接続されるパイプと、一端が前記パイプに嵌合されると共に他端が前記ヘッダー本体に挿入され内部に流路が貫通形成され、かつ前記ヘッダー本体及びパイプを外部に対して液密状態に保つインコアと、前記ヘッダー本体から前記パイプが抜けるのを防止する抜け止め部材を有し、かつ前記抜け止め部材は、円筒状をなし一端部が前記パイプの外径よりも僅かに大きい程度まで縮径すると共に他端部にはヘッダー本体と着脱自在に螺合するネジ部が形成されたパイプ保持キャップと、前記パイプ保持キャップの内部に収容された抜け止めスペーサ及び当該抜け止めスペーサとパイプ保持キャップの一端側縮径部との間に介装された抜け止めリングを備え、前記パイプ保持キャップの内周面には前記抜け止めスペーサとの係合溝が形成され、前記抜け止めスペーサは円筒状をなし、一端部が若干拡径し、前記パイプ保持キャップの内周壁に形成された係合溝に当該一端部が係合して当該パイプ保持キャップ内に固定収容されるようになったヘッダーの止水方法であり、
前記パイプとの間のシール部を有したインコアを当該パイプに嵌合して当該パイプとインコア間のシールを図り、
次いで、前記インコアの嵌合されたパイプを前記ヘッダー本体に挿入して当該インコア及びヘッダー本体の外部に対するシールを図ることで、パイプと当該パイプに嵌合されるインコア間のシールを図ると共に、前記ヘッダー本体と当該ヘッダー本体に嵌合されるインコア間のシールを図ることによって前記ヘッダー本体及びパイプの外部に対する止水を達成することを特徴としている。
【００２２】
また、本発明の請求項３に記載のヘッダーの止水方法は、
前記ヘッダーが、内部にヘッダー本体とパイプとを連通する流路を備えたインコアを介してヘッダー本体及びパイプの外部に対する止水を達成するヘッダーの止水方法であって、
前記ヘッダー本体と、前記ヘッダー本体に接続されるパイプと、一端が前記パイプに嵌合されると共に他端が前記ヘッダー本体に挿入され、内部に流路が貫通形成され、かつ前記ヘッダー本体及びパイプを外部に対して液密状態に保つインコアと、前記ヘッダー本体から前記パイプが抜けるのを防止する抜け止め部材を有し、かつ前記抜け止め部材は、円筒状をなし一端部が前記パイプの外径よりも僅かに大きい程度まで縮径すると共に他端部にはヘッダー本体と着脱自在に螺合するネジ部が形成されたパイプ保持キャップと、前記パイプ保持キャップの内部に収容された抜け止めスペーサ及び当該抜け止めスペーサとパイプ保持キャップの一端側縮径部との間に介装された抜け止めリングを備え、前記パイプ保持キャップの内周面には前記抜け止めスペーサとの係合溝が形成され、前記抜け止めスペーサは円筒状をなし、一端部が若干拡径し、前記パイプ保持キャップの内周壁に形成された係合溝に当該一端部が係合して当該パイプ保持キャップ内に固定収容されるようになったヘッダーの止水方法であり、
前記ヘッダー本体との間のシール部を有したインコアを前記ヘッダー本体に挿入して当該ヘッダー本体とインコアのシールを図り、
次いで、前記ヘッダー本体に挿入されたインコアに前記パイプを嵌合して当該インコアとパイプの外部に対するシールを図ることで、パイプと当該パイプに嵌合されるインコア間のシールを図ると共に、前記ヘッダー本体と当該ヘッダー本体に嵌合されるインコア間のシールを図ることによって前記ヘッダー本体及びパイプの外部に対する止水を達成することを特徴としている。
【００２４】
このようなヘッダーの止水方法によると、ヘッダー本体とパイプとの間にインコアの一部材しか介在させておらずかつインコアとヘッダー本体間及びインコアとパイプ間をシールしているので、ヘッダーとパイプ間で水が余分に分岐する心配がなく、ヘッダーの外部に対する止水を確実に行うことができる。これに加えて、構造が簡単となって全体寸法も小さくでき、コストを下げつつ漏水のリスクも低下させることができる。
【００２５】
また、ヘッダー自体が大型化する従来の構造では水廻りの設置空間の取り合わせでヘッダーの配置空間が確保できない場合があり、ヘッダーを水廻りの最適な位置から離れた位置に配置しなければならなかったが、本発明にかかるヘッダーの止水方法によると、ヘッダー自体の小型化が図られて、このような心配がいらない。
【発明の効果】
【００２６】
本発明によると、簡単な構成でヘッダー本体とパイプの外部に対する止水構造を実現したヘッダー及びヘッダーの止水方法を提供できる。
【発明を実施するための最良の形態】
【００２７】
以下、本発明の一実施形態にかかるヘッダーについて図面に基づいて説明する。本発明の一実施形態にかかるヘッダー１は、図１に示すように、流路を分岐するヘッダー本体１１０と、ヘッダー本体１１０に接続されるパイプ１９０と、一端がパイプ１９０に接続されると共に他端がヘッダー本体１１０に接続され、ヘッダー本体１１０とパイプ１９０との間を液密状態に保つインコア１３０と、インコア１３０をヘッダー本体１１０に保持すると共に、ヘッダー本体１１０からパイプ１９０が抜けるのを防止するパイプ保持キャップ１２０とを備えている。
【００２８】
ヘッダー本体１１０は、たとえばホウ金などの材料でできており、図２に示すように、端面視異型円形状の細長い管体からなり、上部長手方向一定の幅に亘って分岐管取り付け用の平面部１１０ａが備わっている。
【００２９】
ヘッダー本体１１０の内部には、図１に示すように、長手方向にわたって共通管路１１１が貫通形成され、その共通管路の両端部には、例えば水道水の一側配管等と螺合接続される雌ねじ部１１１ａが形成されている。また、本実施形態にかかるヘッダー１の場合、この共通管路１１１から２つの分岐管路１１２が分岐形成されている。
【００３０】
そして、ヘッダー本体１１０の平面部１１０ａには上面視円環状をなす分岐管開口部１１３（図３参照）が突出形成されている。なお、分岐管開口部１１３はその周方向に雄ネジ１１３ａが形成され、パイプ保持キャップ１２０を作業者が指で着脱自在に螺合できるようになっている。
【００３１】
インコア１３０は、例えばホウ金などの材質でできており、管状をなし長手方向中央からヘッダー本体挿入側に若干偏倚した位置に一方の面がテーパ状をなすホルダ係合用突出部１３５が全周に亘って形成されている。
【００３２】
インコア１３０のヘッダー本体挿入側外周部には二条のＯ−リング嵌合溝１３１，１３２（図１参照）が形成され、これらのＯ−リング嵌合溝１３１，１３２にＯ−リング１４１，１４２が嵌合されている。
【００３３】
また、インコア１３０のパイプ嵌合側外周部の端部近傍にも二条のＯ−リング嵌合溝１３３，１３４が形成され、このＯ−リング嵌合溝１３３，１３４に２つのＯ−リング１４３，１４４が嵌合されている。
【００３４】
なお、分岐管路１１２の内径はインコア１３０の外径とほぼ等しくなっており、インコア１３０のヘッダー本体挿入側外周面に嵌合された２つのＯ−リング１４１，１４２を介してヘッダー本体１１０とインコア１３０とのシール性を確保するようになっている。
【００３５】
また、インコア１３０のパイプ挿入側外周部の外径は、これが嵌合されるパイプ内径とほぼ等しくなっており、インコア１３０をパイプ１９０に嵌合することで２つのＯ−リング１４３，１４４を介してインコア１３０とパイプ１９０との間をしっかりとシールするようになっている。
【００３６】
また、インコア１３０の外周に形成されたホルダ係合用突出部１３５の他方の面は外周面に対して垂直に形成され、インコア１３０をパイプ１９０に嵌合する際にこの部分にパイプ１９０の端部が突き当たってインコア１３０の挿入を規制するようになっている。
【００３７】
パイプ保持キャップ１２０は、例えば真鍮でできており、円筒状をなし上方端部はパイプ１９０の外径よりも僅かに大きい程度まで縮径している。パイプ保持キャップ１２０は、その内部に抜け止めスペーサ１６０と、抜け止めスペーサ１６０とパイプ保持キャップ１２０の上端縮径部との間に介装された抜け止めリング１７０を備えている。そして、パイプ保持キャップ１２０の下方端部にはパイプ保持キャップ１２０とヘッダー本体１１０との螺合部を覆う樹脂製のカバーリング１２５が着脱自在に備わっている。
【００３８】
抜け止めスペーサ１６０は例えば真鍮でできており、円筒状なし、上端部が若干拡径しており、パイプ保持キャップ１２０の係合溝１２１にこの上端部が係合してパイプ保持キャップ内に固定収容されるようになっている。また、抜け止めスペーサ１６０の他方の端部近傍における内壁部はテーパ部を介して徐々に縮径している。なお、このテーパ部は、パイプ１９０に嵌合されたインコア１３０をパイプ保持キャップ内に挿入したとき、インコア１３０のホルダ係合用突出部１３５のテーパ部と当接し、インコア１３０のヘッダー本体内への移動を規制するようになっている。
【００３９】
抜け止めリング１７０は、図１に示すように、樹脂でできた平面視Ｃ字状のリング支持部１７１と、リング支持部１７１と一体形成され、平面視Ｃ字型をなしかつ断面視でヘッダー本体内部に向かって縮径した金属製のＣ型リング１７２からなる。
【００４０】
そして、抜け止めリング１７０にパイプ１９０が一旦挿入されると、抜け止めリング１７０の縮径部がパイプ１９０に食い込んで、パイプ１９０を逆方向に引っ張ってもパイプ１９０に食い込んだＣ型リング１７２がパイプ保持キャップ１２０から外れることがなく、結果的にパイプ１９０をヘッダー本体１１０から抜けないようにする役目を果たしている。なお、リング支持部１７１の上端部にはテーパ部が形成されている。このテーパ部は、インコア１３０を挿入する際にインコア１３０に備わったＯ−リング１４１，１４２が捲れ上がらないようにする役目を果たしている。
【００４１】
続いて、本発明の一実施形態にかかるヘッダー１にパイプ１９０を接続する手順及び作用について説明する。なお、図３及び図４はパイプ保持キャップ１２０を除いてインコア１３０とヘッダー本体１１０とパイプ１９０との組付け関係を示した斜視図である。
【００４２】
最初にパイプ保持キャップ１２０に抜け止めスペーサ１６０及び抜け止めリング１７０を内装する。そして、このパイプ保持キャップ１２０の下端ネジ部をヘッダー本体１１０のネジ部１１２ａにねじ込む。なお、このねじ込み作業は作業者が指で容易に行うことができる。そして、パイプ保持キャップ１２０の下端部にカバーリング１２５を嵌め込み、パイプ保持キャップ１２０とヘッダー本体１１０との螺合部を覆う。
【００４３】
一方、パイプ１９０にインコア１３０を当該インコア１３０のホルダ係合用突出部１３５がパイプ１９０の端部に突き当たるまで挿入する。
【００４４】
挿入作業は、インコア１３０及びインコア１３０の挿入されたパイプ１９０をパイプ保持キャップ１２０の上端開口部からパイプ保持キャップ内に挿入する。これは、インコア１３０のホルダ係合用突出部１３５のテーパ部がパイプ保持キャップ内の抜け止めスペーサ１６０の縮径されたテーパ部に突き当たるまで行う。
【００４５】
パイプ保持キャップ１２０にパイプ１９０を挿入する際に、インコア先端の２つのＯ−リング１４１，１４２は、抜け止めリング１７０の上側端部に形成されたテーパ部によって捲れ上がるのが防止される。また、抜け止めリング１７０のＣ型リング１７２は、パイプ１９０を挿入するに伴って拡径し、パイプ挿入時の支障とはならない。しかしながら、一旦パイプ１９０を挿入すると、Ｃ型リング１７２の内径部が樹脂でできたパイプ１９０の外周部に食い込んでパイプ１９０の抜けを確実に防止する。
【００４６】
このようにしてインコア１３０の嵌入されたパイプ１９０をパイプ保持キャップ１２０に挿入することによって、インコア１３０とヘッダー本体１１０の分岐管路１１２との間はインコア１３０に備わった２つのＯ−リング１４１，１４２によって二重シールされる。また、インコア１３０とパイプ１９０との間はインコア１３０に備わった２つのＯ−リング１４３，１４４によって二重シールされる。これによって簡単な構成でパイプ１９０及びヘッダー本体１１０の外部に対する止水を達成することができる。
【００４７】
なお、一旦ヘッダー本体１１０にパイプ１９０を接続した後に何らかの事情でパイプ１９０をヘッダー本体１１０から外したり別の分岐管に繋ぎ変えたりする場合は、カバーリング１２５を指で外すと共にパイプ保持キャップ１２０を指で摘んで螺合を解除し、保持キャップ１２０とインコア１３０及びパイプ１９０をヘッダー本体１１０から外せば良い。すなわち、パイプ１９０をヘッダー本体１１０に接続する際に従来のようにヘッダー本体と継手との間にテーパネジ部にシールテープを巻く必要がないため、簡単な手作業でパイプをヘッダー本体から外すことが可能となる。
【００４８】
また、図３及び図４から特に明らかなように、本実施形態にかかるヘッダー１は、従来構造のヘッダーに比べてその構成が簡略化しているので、ヘッダー全体の高さや幅を小型化することができる（従来の継手の備わったヘッダーの断面図（図６（ａ））と本実施形態にかかるヘッダー１の断面図（図６（ｂ））を比較参照）。そのため、台所などの水廻りの空間での限られたスペースの適所にヘッダーを配置することができるようになり、配管の余分な取りまわしを必要としなくなる。
【００４９】
続いて、上述の実施形態の変形例について説明する。上述の実施形態の変形例にかかるヘッダー２は、ヘッダー本体２１０に図７乃至図９に示す特別な管継手２２０を接続した構成を有している。この管継手２２０は、図８及び図９に示すように、インコア２３０と外キャップ２２１からなる継手本体と、継手本体に収容された透明円筒体２４０及び表示用円筒体２５０と、透明円筒体２４０と外キャップ２２１とで保持された抜け止めリング２６１及びスペーサ２６２と、透明円筒体２４０及び表示用円筒体２５０によって保持された捩りバネ２６３と、表示用円筒体２５０とインコア２３０との間に介装されたシール捲れ防止リング２６４を備えている。そして、捩りバネ２６３の弾性復元力を利用して表示用円筒体２５０を第１の回転位置から第２の回転位置に確実に移動させ、表示用円筒体２５０が第２の回転位置に移動したことによるパイプ挿入完了を管継手外部から確認可能とすることで、管継手内へのパイプ２９０の挿入確認を可能としている。
【００５０】
なお、インコア２３０には、ヘッダー本体２１０の分岐管路とインコア間を二重シールするＯ−リング２３１，２３２と、パイプ２９０とインコア間を二重シールするＯ−リング２３３，２３４が備わっている。
【００５１】
ここで、図８は、パイプ２９０を管継手２２０に挿入し始めた状態を示した断面図であり、図９は、図８に示したパイプ２９０を更に管継手２２０の奥に挿入した状態を示した断面図である。
【００５２】
このような管継手２２０をヘッダー本体２１０に接続してヘッダー２を組付ける場合であっても、ヘッダー本体２１０の分岐管路２１２からパイプ２９０への連通流路を内部に形成したインコア２３０を介してヘッダー本体２１０とパイプ２９０と接続する構成となっており、ヘッダー本体２１０とインコア２３０との間にＯ−リング２３１，２３２による二重シール部を形成すると共に、インコア２３０とパイプ２９０の内周との間にもＯ−リング２３３，２３４による二重シール部を形成することによって、余分な水の分岐流路を形成する必要がなくなり、従来例のヘッダーと継手との組み合わせにおけるテーパネジ部にシールテープを巻くような余分な作業を必要としなくなる。そのため、上述した実施形態と同等の作用効果を奏することができる。
【００５３】
以上説明したように、本発明にかかるヘッダーによると、ヘッダー本体とパイプとの間にインコアからなる一部材しか介在させていないので、余分な部品を必要とせず、従来例のヘッダー本体に取り付ける継手のように高さが高くならない。すなわち、構造が簡単となって全体寸法も小さくでき、コストを下げることが可能となる。また、従来例のように継手をヘッダー本体に取り付ける際のシールテープを必要とせず簡単な構造でヘッダーの外部に対する止水を達成する。
【００５４】
また、ヘッダー本体とパイプとの間にインコアの一部材しか介在させておらずかつインコアが一体構造であるので、ヘッダーとパイプ間で水が余分に分岐する心配がなく、漏水のリスクも低下させることができる。
【００５５】
また、従来は継手をヘッダーに締め付けるにあたってトルク管理が必要であったため、継手間の作業空間を確保するためにパイプ同士の間隔が大きくなっていたが、本発明にかかるヘッダーはパイプ保持キャップを指で締め付けることができるので、パイプ同士の間隔を小さくできる。これによって、ヘッダーの高さや設置幅に関して省スペースを図ることができる。これに加えて、トルク管理に伴う無駄な作業も必要なくなる。
【００５６】
また、ヘッダー自体が大型化する従来の構造では水廻りの設置空間の取り合わせでヘッダーの配置空間が確保できない場合があり、ヘッダーを水廻りの最適な位置から離れた位置に配置しなければならなかったが、本発明にかかるヘッダーの場合、小型化が図られているので、このような心配がいらない。
【００５７】
なお、上述の実施形態で記載した材質はあくまで例示的に示したもので、本発明の作用を発揮する材質であればどのようなものを使用しても構わない。
【００５８】
また、以上説明したように、図１０及び図１１に示す従来型のヘッダー５は、ヘッダー本体５１０と継手５２０を有し、パイプ５９０に挿入したインコア５３０をパイプ５９０の端部ごと継手５２０に収容する構造になっている。また、継手５２０は、異型筒型の継手本体５２１と、継手本体内に収容された内装部材である止水用のＯ−リング５２２、内部にパイプ５９０を把持してパイプ５９０の抜けを防止するグリップリング５２３、Ｏ−リング５２２のシール面を保持するスペーサ５２４、及びグリップリング５２３でパイプ５９０を把持させるためにグリップリング５２３を縮径させるサポートカラー５２５と、継手本体５２１から各内装部材が脱抜しないようにカバーするエンドキャップ５２６を備えている。
【００５９】
このようにヘッダー５を構成する部品点数が多いため、ヘッダー本体５１０に接続される継手５２０の高さ方向及び幅方向がどうしても大きくなってしまい、ヘッダー自体の大型化を招いてしまう。
【００６０】
しかしながら、図１に示す本発明におけるヘッダー１は、流路を分岐するヘッダー本体１１０と、ヘッダー本体１１０に接続されるパイプ１９０と、一端がパイプ１９０に接続されると共に他端がヘッダー本体１１０に接続され、ヘッダー本体１１０とパイプ１９０との間を液密状態に保つインコア１３０と、インコア１３０をヘッダー本体１１０に保持すると共に、ヘッダー本体１１０からパイプ１９０が抜けるのを防止するパイプ保持キャップ１２０とを備え、パイプ保持キャップ１２０は、その内部に抜け止めスペーサ１６０と、抜け止めスペーサ１６０とパイプ保持キャップ１２０の上端縮径部との間に介装された抜け止めリング１７０を備えているに過ぎない。
【００６１】
このようにヘッダー１を構成する部品点数が少なくなるので、ヘッダー本体１１０に接続されるパイプ保持キャップ１２０の高さ方向及び幅方向を小さくすることができ、ヘッダー自体を従来のヘッダーに較べて小型化することが可能となる。
【図面の簡単な説明】
【００６２】
【図１】本発明の一実施形態にかかるヘッダーを当該ヘッダーに接続されるパイプと共にこれらの長手方向中心軸線に沿って示す断面図である。
【図２】図１に示したヘッダーの分解斜視図である。
【図３】図１に示したヘッダーを組付けると共にパイプを接続する工程をパイプ保持キャップを除いて示す斜視図である。
【図４】図３に示したヘッダーの組付け及びパイプの接続工程に続くヘッダーの組付け及びパイプの接続工程を示す斜視図である。
【図５】図４に示したヘッダーの組付け工程に続くヘッダーの組付け及びパイプの接続完了状態を示す斜視図である。
【図６】従来の継手の備わったヘッダーの図１に対応する断面図（図６（ａ））及び本発明のヘッダーの図１に対応する断面図（図６（ｂ））である。
【図７】本発明の一実施形態にかかるヘッダーの変形例を示す図５に対応する斜視図である。
【図８】図７に示したヘッダーの変形例の図１に対応する断面図であり、パイプを管継手に挿入し始めた状態を示している。
【図９】図８に示したパイプを更に管継手の奥に挿入した状態を示した断面図である。
【図１０】従来の継手の備わったヘッダーを示す図１に対応する断面図である。
【図１１】図９に示した従来の継手の備わったヘッダーの一方の継手を分解して示す斜視図である。
【図１２】図９及び図１０とは異なるアダプタを備えた従来のヘッダーを部分的に示した斜視図である。
【符号の説明】
【００６３】
１，２，５，６    ヘッダー
１１０    ヘッダー本体
１１０ａ    平面部
１１１    共通管路
１１１ａ    雌ねじ部
１１２    分岐管路
１１２ａ    ネジ部
１１３    分岐管開口部
１１３ａ    雄ネジ
１２０    パイプ保持キャップ
１２１    係合溝
１２５    カバーリング
１３０    インコア
１３１，１３２，１３３，１３４    Ｏ−リング嵌合溝
１３５    ホルダ係合用突出部
１４１，１４２，１４３，１４４    Ｏ−リング
１６０    抜け止めスペーサ
１７０    抜け止めリング
１７１    リング支持部
１７２    Ｃ型リング
１９０    パイプ
２１０    ヘッダー本体
２１２    分岐管路
２２０    管継手
２２１    外キャップ
２３０    インコア
２３１，２３２，２３３，２３４    Ｏ−リング
２４０    透明円筒体
２５０    表示用円筒体
２６１    抜け止めリング
２６２    スペーサ
２６３    捩りバネ
２６４    シール捲れ防止リング
２９０    パイプ
５１０    ヘッダー本体
５１０ａ，５２０ａ    テーパネジ部
５２０    継手
５２１    継手本体
５２２    Ｏ−リング
５２３    グリップリング
５２４    スペーサ
５２５    サポートカラー
５２６    エンドキャップ
５３０    インコア
５３１，５３２    Ｏ−リング
５９０    パイプ
６１１    ヘッダー分岐管
６１５    フランジ
６２０    アダプタ
６２５    フランジ
６２６    パイプ挿入部
６３１，６３２    Ｏ−リング
６４０    クリップ
６４１    開放端部
６４５    フランジ係合孔
【図１】
0004514053.tif 000002
【図２】
0004514053.tif 000003
【図３】
0004514053.tif 000004
【図４】
0004514053.tif 000005
【図５】
0004514053.tif 000006
【図６】
0004514053.tif 000007
【図７】
0004514053.tif 000008
【図８】
0004514053.tif 000009
【図９】
0004514053.tif 000010
【図１０】
0004514053.tif 000011
【図１１】
0004514053.tif 000012
【図１２】
0004514053.tif 000013